(57)【要約】【課題】簡単な構造で、回転しながら、動きに変化を持たせ、視覚的にも面白味があって、コストも削減できる抽選装置を提供する。【解決手段】側面に抽選用のマーク５６を有し、与えられた推進力により回転する抽選用の回転ドラム４４と、抽選用の回転ドラム４４の回転を案内するドラムガイド４２と、抽選用の回転ドラム４４に空気を供給し、少なくとも抽選用の回転ドラム４４を回転させるための推進力を生成するブロアと、抽選用の回転ドラム４４の所定のタイミングでの抽選用のマーク５６を検知するセンサとを備えた。【選択図】図２
2008079674.tif 000002
【特許請求の範囲】
【請求項１】
側面に抽選用の記号を有し、与えられた推進力により回転する抽選用回転体と、
前記抽選用回転体の回転を案内する案内手段と、
前記抽選用回転体に空気を供給し、少なくとも前記抽選用回転体を回転させるための推進力を生成する空気供給手段と、
前記抽選用回転体の所定のタイミングでの前記抽選用の記号を検知する記号検知手段、
を備えたことを特徴とする抽選装置。
【請求項２】
前記空気供給手段は、前記抽選用回転体を浮上させるための浮力を生成することを特徴とする請求項１記載の抽選装置。
【請求項３】
前記案内手段は、前記抽選用回転体の回転を妨げない口径の筒体であり、
前記空気供給手段は前記筒体の内部に空気を供給することを特徴とする請求項１または請求項２記載の抽選装置。
【請求項４】
前記抽選用回転体の上下位置を検出する上下位置検出手段を備え、
前記上下位置検出手段による検出結果に応じて前記空気供給手段が供給する空気量を変化させることを特徴とする請求項２または請求項３記載の抽選装置。
【請求項５】
前記空気供給手段は所定の条件で空気の供給を停止し、
前記抽選用回転体の回転が停止したことを検出する回転停止検出手段を備え、
前記記号検知手段は、前記回転停止検出手段が前記抽選用回転体の回転が停止したことを検出した後に、前記抽選用の記号を検知することを特徴とする請求項１〜請求項４のいずれかに記載の抽選装置。
【請求項６】
前記抽選用の記号のいずれかが所定の停止位置に停止するように前記抽選用回転体と係合する係合手段と、
前記係合手段を所定の軸を中心に回転させる駆動手段を有し、
前記空気供給手段が空気を供給していないときは、前記駆動手段が前記係合手段を回転させることを特徴とする請求項１〜請求項５のいずれかに記載の抽選装置。
【発明の詳細な説明】
【技術分野】
【０００１】
本発明は、抽選装置に関し、特に、ゲーム装置において用いられるアナログ抽選装置に関する。
【背景技術】
【０００２】
一般に、ゲーム装置において回転部材を回転させる場合、モータを用いて回転部材を回転させるようにしている。
【０００３】
例えば、特許文献１のルーレットゲーム機に示されるように、ルーレット盤回動モータを用いてルーレット盤を回転させるようにしている。
【特許文献１】特開平１−２９３８８９号公報
【発明の開示】
【発明が解決しようとする課題】
【０００４】
このようなゲーム装置において、回転部材は位置が固定されたままの状態で、回転駆動されるようになっているため、動きが変化に乏しく、視覚的にも面白味に欠けるものである。
【０００５】
これに対し、動きに変化を持たせ、視覚的に面白味を持たせようとすると、モータ等の駆動装置をも動かさなければならないために、構造が複雑となり、コストも高くなってしまうこととなる。
【０００６】
本発明の目的は、簡単な構造で、回転しながら、動きに変化を持たせ、視覚的にも面白味があって、コストも削減できる抽選装置を提供することにある。
【課題を解決するための手段】
【０００７】
前記目的を達成するため、本発明の抽選装置は、側面に抽選用の記号を有し、与えられた推進力により回転する抽選用回転体と、
前記抽選用回転体の回転を案内する案内手段と、
前記抽選用回転体に空気を供給し、少なくとも前記抽選用回転体を回転させるための推進力を生成する空気供給手段と、
前記抽選用回転体の所定のタイミングでの前記抽選用の記号を検知する記号検知手段、
を備えたことを特徴とする。
【０００８】
本発明によれば、空気供給手段により抽選用回転体に空気を供給して回転推進力を付与することで、抽選用回転体が案内手段により案内されながら回転し、記号検知手段が所定のタイミングで抽選用回転体側面の抽選用の記号を検知することにより、簡単な構造で、回転しながら、動きに変化を持たせ、視覚的にも面白味があって、コストも削減することができる。
【０００９】
本発明においては、前記空気供給手段は、前記抽選用回転体を浮上させるための浮力を生成するようにすることができる。
【００１０】
このような構成とすることにより、抽選用回転体を浮遊状態で回転させて、より動きに変化を持たせ、より視覚的にも面白みを持たせることができる。
【００１１】
本発明においては、前記案内手段は、前記抽選用回転体の回転を妨げない口径の筒体とし、前記空気供給手段は前記筒体の内部に空気を供給するようにすることができる。
【００１２】
このような構成とすることにより、筒体内で、筒体によって案内されながら、筒体内に供給される空気によって抽選用回転体を確実に回転させることができる。
【００１３】
抽選用回転体に対して浮上する空気を供給する場合には、前記抽選用回転体の上下位置を検出する上下位置検出手段を設け、前記上下位置検出手段による検出結果に応じて前記空気供給手段が供給する空気量を変化させるようにすることができる。
【００１４】
このような構成とすることにより、上下位置検出手段により抽選用回転体の上昇時における上下位置を検出して空気供給手段の風量を調整することで、例えば抽選用回転体が上限位置にある場合には空気供給手段の風量を下げ、下限位置にある場合には空気供給手段の風量を上げることで、抽選用回転体に上昇下降を繰り返させて、抽選用回転体が浮遊しているような状態を演出し、動きに大きな変化を持たせることができる。
【００１５】
本発明においては、前記空気供給手段は所定の条件で空気の供給を停止し、
前記抽選用回転体の回転が停止したことを検出する回転停止検出手段を備え、
前記記号検知手段は、前記回転停止検出手段が前記抽選用回転体の回転が停止したことを検出した後に、前記抽選用の記号を検知するようにすることができる。
【００１６】
このような構成とすることにより、回転停止検出手段が抽選用回転体の回転が停止したことを検出した後に、記号検知手段により抽選用の記号を検知することで、抽選用記号の確実な検知を行うことができる。
【００１７】
本発明においては、前記抽選用の記号のいずれかが所定の停止位置に停止するように前記抽選用回転体と係合する係合手段と、
前記係合手段を所定の軸を中心に回転させる駆動手段を有し、
前記空気供給手段が空気を供給していないときは、前記駆動手段が前記係合手段を回転させるようにすることができる。
【００１８】
このような構成とすることにより、係合手段が抽選用回転体と係合して抽選用の記号のいずれかを所定の停止位置に停止させることができ、この停止位置で記号検知手段により記号を検知すれば確実な検知を行うことができ、しかも、空気供給手段が空気を供給していないとき、すなわち抽選を行っていないときは、アトラクトとして駆動手段が係合手段を介して抽選用回転体を所定の速度で回転させておくことができる。
【発明を実施するための最良の形態】
【００１９】
以下、本発明の実施の形態について、図面を参照して説明する。
【００２０】
図１〜図３は、本発明の一実施の形態にかかる抽選装置を示す図である。
【００２１】
図１は、本実施の形態にかかる抽選装置を搭載したメダルプッシャーゲーム装置の外観斜視図である。
【００２２】
このメダルプッシャーゲーム装置１０は、筐体１２内の正面上部にゲーム盤面１４が設けられ、このゲーム盤面１４の下端位置に前後方向で往復移動を行うプッシャープレート１６を有するメダル載置用のゲームフィールド１８が設けられている。
【００２３】
また、筐体１２の上下方向略中央前方には操作部２０が設けられ、この操作部２０にメダル投入口２２及びメダル３０を貯留するメダル貯留部２５が設けられ、このメダル貯留部２５に筐体１２内のメダル３０を払い出すための払出口２４が、操作部２０の上方に隣接するように筐体１２の前面に設けられている。
【００２４】
さらに、筐体１２の上部には、抽選装置４０が搭載され、この抽選装置４０による抽選を行うための抽選ゲーム用ボタン１００が操作部２０に設けられている。
【００２５】
ゲーム盤面１４には、表示部２６と、チャッカー部２８と、チャッカー部２８へのメダル３０の進路を邪魔する複数の釘３２と、ゲーム盤面１４の両側上方に配置された放出口３６から放出されたメダル３０の放出方向を変更するワイパー３４とが設けられている。
【００２６】
放出口３６から放出されたメダル３０は、ワイパー３４によって振り分けられ、釘３２によって邪魔されながら下方へと移動し、メダル３０がチャッカー部２８を通過すると、チャッカー部２８の内側に設けたセンサー（図示せず）がメダル３０の通過を検出する。
【００２７】
そして、メダル３０がチャッカー２８に入賞すると、入賞したチャッカー２８の位置に応じて、表示部２６に表示されるゲームが進行し、このゲームの結果に応じて、筐体１２内に設置した払出ホッパーからメダル３０がゲームフィールド１８上に払い出されるようになっている。
【００２８】
また、ゲームの結果によって抽選装置４０を用いた抽選ゲームを選択することができ、抽選に成功すると大量のメダル３０がゲームフィールド１８上に払い出されるようになっている。
【００２９】
ゲームフィールド１８上に払い出されたメダル３０及びゲーム盤面１４を通過したメダル３０は、プッシャープレート１６の往復移動によって、ゲームフィールド１８上から落下して払出口２４から払い出され、メダル貯留部２５に貯留されるようになっている。
【００３０】
抽選装置４０は、図２及び図３にも示すように、案内手段である抽選用のドラムガイド４２によってガイドされた抽選用回転体としての抽選用の回転ドラム４４が回転しつつ上下動可能にされている。
【００３１】
ドラムガイド４２は、ガイド軸４６と、筒体であるガイド筒４８とを有している。
【００３２】
ガイド軸４６は、回転ドラム４４の中心位置を貫通して回転ドラム４４を上下動かつ回転可能に案内するもので、下端が図２に示すベースプレート５０に固定され、上端がガイド筒４８の上端に取り付けた支持プレート５１に固定された状態となっている。
【００３３】
ガイド筒４８は、回転ドラム４４の回転を妨げない口径とされ、回転ドラム４４の周囲を囲繞して回転ドラム４４を上下動かつ回転可能に案内する筒状のもので、図２に示すように、前後半割筒部材４８ａ、４８ｂを組み合わせて形成されている。
【００３４】
前半割筒部材４８ａは、透明な材料で形成され、回転ドラム４４の載置板５２上に固定された後半割筒部材４８ｂの前面側に取付片５４を介して取付け固定されるようになっている。
【００３５】
回転ドラム４４は、下部が開口した透明な筒状のもので、この回転ドラム４４下方の載置板５２には、図３に示すように、２箇所のエア吹き出し口６６が設けられ、各エア吹き出し口６６にはエアダクト６８を介して空気供給手段であるブロア７０が接続されており、各ブロア７０からエアダクト６８、エア吹き出し口６６を通して回転ドラム４４内に回転ドラム４４駆動用のエア（空気）が供給されるようになっている。
【００３６】
また、回転ドラム４４は、図２に示すように、抽選用の記号であるマーク５６と、エア排出口５８と、反射板６０と、記号検知手段を構成するマーク検出用切欠き部６２（図３参照）とを有している。
【００３７】
抽選用のマーク５６は、回転ドラムの側面に複数、例えば８個設けられている。
【００３８】
これら複数のマーク５６は、例えば１番〜８番までの数字が記載されたものとなっており、また、これら８種類のマーク５６は、例えば、赤、青、緑、黄等の４種類の色に色分けされた状態となっている。
【００３９】
そして、抽選ゲームに移行する際に、表示部２６に、例えば、偶数または奇数のいずれか（確率１／２）、４種類の色のうち１色（確率１／４）、１番〜８番までの数字の１つ（確率１／８）のうちいずれを選択するかの表示がなされ、プレーヤがその内の１つを抽選ゲーム用ボタン１００により選択することによって抽選ゲームが開始され、成功するとその確率に応じた枚数のメダル３０が払い出されるようになっている。
【００４０】
エア排出口５８は、回転ドラム４４の上面外周側に複数箇所、例えば４箇所に形成された状態となっている。
【００４１】
各エア排出口５８には、一方向に傾斜した傾斜羽根部６４が設けられており、回転ドラム４４内にエアが供給されると、そのエアの圧力によって回転ドラム４４が上昇すると共に、内部のエアが傾斜羽根部６４にぶつかりながら各エア排出口５８より外部へと排出されて一方向に回転するようになっている。
【００４２】
また、ガイド筒４８の側方には、回転ドラム４４の上下位置を検出する上下位置検出手段である一対の上下位置検出センサ１０２が設けられており、この上下位置検出センサ１０２による回転ドラム４４の高さ位置検出に応じてブロア７０の風量が調整可能にされている。
【００４３】
このようにすることで、回転ドラム４４が上限位置に達したらブロア７０の風量を小にして回転ドラム４４を下降させ、逆に下限位置に達したら風量を大にして上昇させて、浮遊しているような演出を行うことができることとなる。
【００４４】
反射板６０は、回転ドラム４４の上面にマーク５６と対応して８枚中心側が高くなるように設けられており、回転ドラム４４の下方に配設した光源７２からの光を反射して正面位置のマーク５６を内側から照射することで、抽選結果のマーク５６が確実に視認できるようにしている。
【００４５】
また、回転ドラム４４の上方位置にもハロゲンランプ１０４を配設して装置全体を明るく照射するようにしている。
【００４６】
マーク検出用切欠き部６２は、回転ドラム４４の下面内周側に形成したフランジ部７４の各マーク５６対応位置８箇所に各マークを認識できる形状に形成されている。
【００４７】
また、回転ドラム４４の正面側には、フランジ部７４対応位置下方に８個のマーク５６を検出するために必要な３個のマーク検出センサ７６が配設され、このマーク検出センサ７６がマーク検出用切欠き部６２を検出することで、正面位置で停止したマーク５６が何であるかを認識できるようになっている。
【００４８】
さらに、この正面位置に必ずマーク５６が位置した状態で停止させるため、回転ドラム４４を位置決めする回転停止位置検出手段を構成するドラム位置決め部材７８と、このドラム位置決め部材７８と係合する係合手段としての係合部材８０と、位置検出部としての位置検出板８２及び位置検出センサ８４とが設けられている。
【００４９】
ドラム位置決め部材７８は、載置板５２側のガイド軸４６の周囲に配設され、ギア８６、８８を介して駆動手段であるモータ９０に接続されて回転可能にされている。
【００５０】
このドラム位置決め部材７８の上面には、回転ドラム４４のマーク５６の位置と対応させて８箇所の凹部９２が形成された状態となっている。
【００５１】
係合部材８０は、回転ドラム４４の上面中央位置から４本の脚部９４が垂下され、各脚部９４の下端に車輪９６が取り付けられており、この車輪９６がドラム位置決め部材７８の凹部９２に係合して位置決めされるようになっている。
【００５２】
位置検出板８２は、ギア８６の下面側に一体的に取り付けられ、ドラム位置決め部材７８と一体的に回転しうるようになっている。
【００５３】
また、位置検出板８２の周囲には、ドラム位置決め部材７８の凹部９２と対応して、４箇所ずつの凹凸部９８が形成された状態となっている。
【００５４】
位置検出センサ８４は、位置検出板８２の下方位置にあって凹凸部９８の有無を検出するようになっている。
【００５５】
そして、プレーヤが抽選ゲーム用ボタン１００を押すと、モータ９０が停止し、いずれかのマーク５６が正面位置になる状態で回転ドラム４４が停止するように凹部９２の位置を調整する。
【００５６】
この調整は、位置検出板８２の凹凸部９８を検出することによって行われる。
【００５７】
ブロア７０によるエアの供給が停止されると、回転ドラム４４が徐々に下降する。
【００５８】
既に停止しているドラム位置決め部材７８の凹部９２に回転ドラム４４の車輪９６が当たることで、回転ドラム４４は減速し、停止する。
【００５９】
その際、回転ドラム４４の車輪９６がドラム位置決め部材７８の凹部９２に嵌るので、いずれかのマーク５６が正面位置になる状態で回転ドラム４４が停止する。
【００６０】
この時、正面位置のマーク５６は、光源７２の光を反射する反射板６０によって内側から照射されているので抽選結果のマーク５６を確実に視認することができる。
【００６１】
そして、停止位置で、マーク検出センサ７６が該当位置のマーク検出用切欠き部６２を検出して抽選結果のマークを認識し、抽選に成功するとその確率に応じた枚数のメダル３０が払い出されることとなる。
【００６２】
なお、モータ９０は、抽選ゲームが始まるまでの間は、アトラクトとして所定の回転速度で回転ドラム４４を回転させるようになっている。
【００６３】
本発明は、前記実施の形態に限定されるものではなく、本発明の要旨の範囲内において種々の形態に変形可能である。
【００６４】
例えば、前記実施の形態においては、メダルプッシャーゲーム装置に抽選装置を用いているが、この例に限定されず、種々のゲーム装置に適用可能である。
【００６５】
また、ドラムガイドは、ガイド軸とガイド筒を併用した場合に限らず、いずれか一方のみを用いるようにしてもよい。
【００６６】
さらに、ドラム位置決め部材と係合部材は、ドラム位置決め部材が回転ドラム側、係合部材が載置板側に設けられてもよく、また、ドラム位置決め部材は固定状態であってもよい。
【００６７】
また、モータ９０の停止のタイミングは、回転ドラムを停止させるためにプレーヤが抽選ゲーム用ボタンを押したタイミングの他に、回転ドラム４４がブロワ７０からのエアにより浮上を始めたタイミング、回転ドラム４４の上昇を検知するための下側の上下位置検出センサ１０２により上昇が検出されたタイミング等種々のタイミングを採用可能である。
【図面の簡単な説明】
【００６８】
【図１】本発明の一実施の形態にかかる抽選装置を搭載したメダルプッシャーゲーム装置の外観斜視図である。
【図２】図１の抽選装置の拡大斜視図である。
【図３】図１及び図２の抽選装置の概略構成図である。
【符号の説明】
【００６９】
４０  抽選装置
４２  ドラムガイド
４４  回転ドラム
４６  ガイド軸
４８  ガイド筒
５２  載置板
５６  マーク
５８  エア排出口
６０  反射板
７０  ブロア
７２  光源
７６  マーク検出センサ
７８  ドラム位置決め部材
８０  係合部材
８２  位置検出板
８４  位置検出センサ
９０  モータ
１０２  上下位置検出センサ
【図１】
2008079674.tif 000003
【図２】
2008079674.tif 000004
【図３】
2008079674.tif 000005